(57)【要約】  本発明は、高圧放電ランプ（Ｌａ）を作動する回路装置に関しており、この回路装置は、高圧放電ランプ用の作動回路を有しており、この作動回路は、上記の高圧放電ランプ（Ｌａ）に対するスイッチオン／スイッチオフ信号を受信するための入力側と、作動信号を上記の高圧放電ランプ（Ｌａ）に供給するための少なくとも１つの出力側とを有する。ここでは上記の作動回路を設計して、この作動回路により、その入力側においてスイッチオフ信号が受信された後、上記の少なくとも１つの出力側に供給される作動信号の出力（Ｐ）が低減されるようにし、さらに上記の作動回路を設計して、この作動回路により、あらかじめ設定した出力閾値以上ではＡＣ信号として、また上記のあらかじめ設定した出力閾値以下では擬似ＤＣ信号として上記の作動信号が供給されるようにする。さらに本発明は、上記の回路装置において高圧放電ランプ（Ｌａ）を作動させるための方法に関する。
2011503810.tif 000002
【特許請求の範囲】
【請求項１】
高圧放電ランプ（Ｌａ）を作動させるための回路装置であって、
該回路装置は、高圧放電ランプ用の作動回路を有しており、
該作動回路は、高圧放電ランプ（Ｌａ）用のスイッチオン／スイッチオフ信号を受信するための入力側と、作動信号を高圧放電ランプ（Ｌａ）に供給するための少なくとも１つの出力側とを有している形式の回路装置において、
前記の作動回路を設計して、その入力側にてスイッチオフ信号を受信した後、該作動回路により、前記の少なくとも１つの出力側に供給される前記の作動信号の出力（Ｐ）が低減されるようにし、
さらに前記の作動回路を設計して、当該の作動回路により、前記の作動信号が、あらかじめ設定可能な出力閾値以上ではＡＣ信号として供給され、当該のあらかじめ設定可能な出力閾値以下では擬似ＤＣ信号として供給されるようにしたことを特徴とする、
高圧放電ランプ（Ｌａ）を作動させるための回路装置。
【請求項２】
前記の作動回路には、少なくとも１つの第１電子スイッチ（Ｓ１）および第２電子スイッチ（Ｓ２）を有するブリッジ回路（２０）が含まれており、
前記の作動回路にはさらに少なくとも前記の第１電子スイッチ（Ｓ１）および第２電子スイッチ（Ｓ２）用に駆動制御回路（１４，１６）が含まれており、
該駆動制御回路（１４，１６）を設計して、当該駆動制御回路により、少なくとも前記の第１電子スイッチ（Ｓ１）および第２電子スイッチ（Ｓ２）が制御されて、前記のブリッジ回路（２０）の出力側に少なくとも前記のＡＣ信号が供給されるようにした、
請求項１に記載の回路装置。
【請求項３】
前記の作動回路には直流電圧源が含まれており、
当該の作動回路を設計して、当該作動回路により、あらかじめ定めた出力閾値以下では出力側と、前記の直流電源とが接続されるようにした、
請求項１または２に記載の回路装置。
【請求項４】
さらに前記の駆動制御回路（１４，１６）を設計して、該駆動制御回路により、前記の少なくとも第１電子スイッチ（Ｓ１）および第２電子ステッチ（Ｓ２）が駆動制御されて、前記のブリッジ回路（２０）の出力側に前記の擬似ＤＣ信号も供給されるようにした、
請求項２に記載の回路装置。
【請求項５】
前記の駆動制御回路（１４，１６）を設計して、該駆動制御装置により、転流を時間的に短くすることによって、すなわち、いわゆる擬似転流によって前記の擬似ＤＣ信号が供給されるようにした、
請求項４に記載の回路装置。
【請求項６】
前記の駆動制御回路には、前記の少なくとも第１電子スイッチ（Ｓ１）および第２電子スイッチ（Ｓ２）に対してローサイドドライバ（１６）およびハイサイドドライバ（１４）が含まれており、
前記のローサイドドライバ（１６）およびハイサイドドライバ（１４）は、前記の各電子スイッチ（Ｓ１；Ｓ２）と接続するための１つずつの出力側と、制御装置（１２）と接続するための１つずつの制御入力側と、給電電圧を接続するための端子に接続するための１つずつの給電端子とを有しており、
前記のハイサイドドライバ（１４）にはコンデンサ（Ｃ１）が割り当てられており、
該コンデンサは、前記の第１電子スイッチ（Ｓ１）と第２電子スイッチ（Ｓ２）との間の中間点（ＢＭ１）と、前記の給電端子との間に接続されている、
請求項１から５までのいずれか１項に記載の回路装置。
【請求項７】
前記の駆動制御回路（１４；１６）にはさらにダイオード（Ｄ１）が含まれており、
該ダイオードは、前記のコンデンサ（Ｃ１）と、給電電圧端子との間に接続されて、該ダイオードにより、前記のコンデンサ（Ｃ１）から給電電圧端子への電流が阻止されるようにした、
請求項６に記載の回路装置。
【請求項８】
前記の駆動制御回路（１２）を設計して、当該駆動制御回路により、前記のスイッチオフの際に最後の擬似ＤＣ動作中の極性が記憶されるようにし、
さらに前記の駆動制御回路（１２）を設計して、当該駆動制御回路により、前記の擬似ＤＣ動作に対するつぎのスイッチオフの際に他方の極性が使用されるようにした、
請求項６または７に記載の回路装置。
【請求項９】
前記の駆動制御回路（１４，１６）を設計して、当該の駆動制御回路により、50Hzと1kHzとの間の周波数、有利には500Hzの周波数で前記の擬似転流が行われるようにした、
請求項５から８までのいずれか１項に記載の回路装置。
【請求項１０】
さらに前記の駆動制御回路（１４，１６）には時間測定装置が含まれており、
前記の駆動制御回路（１４，１６）をさらに設計して、前記の高圧放電ランプ（Ｌａ）があらかじめ設定可能な出力の擬似ＤＣ信号で駆動されるあらかじめ設定した時間の経過後、当該の駆動制御装置により、前記の高圧放電ランプ（Ｌａ）の動作が調整されるようにした、
請求項１から９までのいずれか１項に記載の回路装置。
【請求項１１】
回路装置にて高圧放電ランプ（Ｌａ）を作動させる方法であって、
前記の回路装置は、高圧放電ランプ（Ｌａ）用の作動回路を有しており、
該作動回路は、前記の高圧放電ランプ（Ｌａ）用のスイッチオン／スイッチオフ信号を受信するための入力側と、作動信号を前記の高圧放電ランプ（Ｌａ）に供給するための少なくとも１つの出力側とを有している形式の方法において、
該方法はつぎのステップ、すなわち、
ａ）  前記の作動回路の入力側にてスイッチオフ信号を受信するステップと、
ｂ）  前記の作動回路の少なくとも１つの出力側に供給される作動信号の出力を低減するステップとを有しており、
あらかじめ設定可能な出力閾値以上ではＡＣ信号として、また当該のあらかじめ設定可能な出力閾値以下では擬似ＤＣ信号として前記の作動信号を供給することを特徴とする、
回路装置にて高圧放電ランプ（Ｌａ）を作動させる方法。
【発明の詳細な説明】
【技術分野】
【０００１】
本発明は、高圧放電ランプを作動する回路装置に関しており、ここでこの回路装置は、高圧放電ランプに対するオン／オフ信号を受信するための入力側と、作動信号を高圧放電ランプに供給するための少なくとも１つの出力側とを備えた、光電放電ランプに対する作動回路を有している。さらに本発明は、上記のような回路装置において高圧放電ランプを作動させるための方法にも関する。
【０００２】
従来の技術
本発明は、殊に高圧放電ランプの再点火の問題を扱っており、これらの高圧放電ランプは、殊にリアプロジェクションテレビジョンおよびビデオプロジェクタにおいて使用される。上記のような高圧放電ランプは、オフにした後、これを再び効果的に点火できるようになる前に冷却フェーズを必要とする。これにより、通例のテレビジョン装置を使用している人がいつもふつうに行っているようにオフにした後、これをすぐに再度オンにすることはできないのである。このため、従来技術では上記のような高圧放電ランプは、オフにした後、新たな点火の試みを行う前に所定の時間の間、冷却される。この冷却フェーズにはふつう３０秒〜３分かかる。殊にリアプロジェクションテレビジョンではこのように長い再点火時間は望ましくない。
【０００３】
US 2002/0135324 A1からは、直流で作動する放電ランプの作動方法が公知である。上記の刊行物が扱っている問題は、放電ランプをオフにする際に、動作時の蒸発した水銀が放電ランプの２つの電極のうちの一方において凝縮し、これによって他方の電極と短絡する危険性が高まることである。これを解決するために上記の刊行物が提案しているのは、出力を低減することによってランプを冷却することであり、これによって水銀が、電極の点とは異なる点において凝縮することを保証するのである。
【０００４】
別の従来技術については、JP 2004-319193ならびにJP 2003-109845を参照されたい。
【０００５】
本発明の説明
したがって本発明の基礎にある課題は、冒頭に述べた回路装置ないしは冒頭に述べた方法を発展させ、これによって短縮された再点火時間を可能にすることである。
【０００６】
この課題は、請求項１の特徴部分に記載した特徴的構成を有する回路装置ならびに請求項１１の特徴部分に記載した特徴的構成を有する方法によって解決される。
【０００７】
本発明は、実際にオフする前にランプをある種のスタンバイモードに移行させると、上記の課題が解決できるという知識に基づいている。このスタンバイモードでは、放電ランプは、通常動作時よりも少ない出力で作動され、これによって放電ランプは徐々に冷却され、場合によってはファンによる冷却によって支援されてさらに冷却される。上記のスタンバイモードの終わりには有利にもこのランプは、実際のオフの後、これを直ちに再点火できる温度にまで冷却される。このスタンバイモード中にはランプはいつでも迅速に元のように起動可能である。これによって理想的なケースでは、ランプを直ちに作動させることのできない時点はもはやなくなるのである。
【０００８】
しかしながら通常動作時にＡＣ信号で作動される放電ランプでは、上記の出力を任意に小さく低減することはできないのであり、殊にオフにした後、放電ランプを直ちに再点火できる程度の放電ランプの冷却が得られる出力にまで低減することはできないのである。これができないのは、すなわち所定の出力閾値以下ではランプのアークが消えてしまうためである。このために本発明はさらに、放電ランプをＡＣ信号で作動する際には、ランプアークの消弧を回避するために２つの電極が、熱放射温度以上にとどまらなければならないという知識に基づいている。本発明の発明者が認識したのは、実質的にただ１つの電極だけが発光している場合、すなわち、あらかじめ設定可能な出力閾値以下では擬似ＤＣ信号によってＡＣ放電ランプが作動される場合、ランプアークが消弧することなくさらに低い出力まで高圧放電ランプを作動できることである。本発明において擬似ＤＣ信号とは、実質的にＤＣ信号である信号のことであり、殊に、例えば、純粋なＤＣ信号のことでもある。いいかえると、あらかじめ設定可能な出力閾値以下では、通常動作に対して設けられているＡＣ電源の代わりに、のＤＣ電源から上記のランプに給電してもよいのである。しかしながら殊にエレガントでコスト的に有利な解決手段は、通常動作に対して設けられているＡＣ電源を適当に駆動制御することにより、上記の放電ランプへの出力側において擬似ＤＣ信号が供給されるようにすることである。この信号は、放電ランプに対してＤＣ信号のように作用するが、ＡＣ電源を実現するためにふつうに設けられる部分回路からそれを形成することについてはある程度の妥協は許される。
【０００９】
したがって上記の作動回路には、少なくとも１つの第１および第２の電子スイッチを有するブリッジ回路を含むことができ、この作動回路にはさらに、少なくとも上記の第１および第２の電子スイッチに対する駆動制御回路が含まれており、ここでこの駆動制御回路は、これが少なくとも第１および第２の電子スイッチを駆動制御して、上記のブリッジ回路により、その出力側に少なくともＡＣ信号が供給されるように設計されている。すでに述べたように上記の作動回路には直流電圧源を含むことができる。ここでこの作動回路を設計して、この作動回路により、あらかじめ設定可能な出力閾値以下では、上記の出力側と直流電圧源とが接続されるようにする。しかしながら上記の駆動制御回路を設計して、この駆動制御回路により、少なくとも第１および第２の電子スイッチが駆動制御されて、上記のブリッジ回路により、その出力側において擬似ＤＣ信号も供給されるようにすることも可能である。すなわち、この場合には別の直流電圧源を設ける必要はないのである。
【００１０】
高圧放電ランプがブリッジ分岐路に配置され、ブリッジ回路としてフルブリッジを使用する場合、対角線上にあるスイッチが同時にスイッチオンされる。ここでは上記のフルブリッジは直流電圧源によって給電され、殊にいわゆる中間回路電圧から給電される。上記の直流電圧源は、対角線上にあるスイッチを同時にスイッチオンすることにより、極性が換わって上記の高圧放電ランプに接続される。転流は、一方の対角線上にあるスイッチのスイッチオフすることと、他方の対角線上にあるスイッチをスイッチオンすることとから構成される。互に隣り合う２つのスイッチは、上記の直流電流源の負極に接続されており、別の２つのスイッチは正極に接続されている。負極は、ふつう上記の回路装置の基準電位である。このため、負極に接続されたスイッチは、大抵の場合に問題なく駆動制御することができる。正極に接続された上記のスイッチは、ハイサイドスイッチと称され、公知のように容易には駆動制御できない。
【００１１】
上記の駆動制御回路には、負極に接続されたスイッチ用のローサイドドライバと、正極に接続されたスイッチ用のハイサイドドライバとが含まれており、このローサイドドライバおよびハイサイドドライバは、各スイッチに接続するための１つずつの出力側と、制御装置と接続するための１つずつの制御入力側と、給電電圧に接続するための端子に接続するための１つずつの給電端子とを有しており、上記のハイサイドドライバにはチャージポンプ、殊にコンデンサが割り当てられており、このチャージポンプは、上記の第１電子スイッチと第２電子スイッチとの間の中間点と、上記の給電端子との間に接続されている。
【００１２】
ここで上記のチャージポンプには有利にはさらにダイオードが含まれており、このダイオードは、上記のコンデンサと給電電圧端子との間に接続されて、コンデンサから給電電圧端子への電流を阻止する。
【００１３】
この場合に殊に有利であるのは、上記の駆動制御回路を設計して、擬似ＤＣ信号が、擬似転流を行うことによって供給されるようにすることである。ここでこの擬似転流は、高速に相前後して行われる２つの転流であり、第１の転流は短いため、第１の転流は多かれ少なかれ抑圧される。例えば、有利な１実施例において一方のフルブリッジ分岐は５μs間オンになり、他方は１５ｍｓ間オンになる。上記の第１の短い転流は、ランプ電流においてまったく識別できず、ほとんど抑圧される。それは、この電流は、点火回路の出力キャパシタンスおよび出力インダクタンスのためにその流れる方向を高速には逆転できないからである。すなわち、このランプにはＤＣ信号が供給されるのである。しかしながら上記の短い転流は、チャージポンプのコンデンサを再充電するのには十分である。通常動作における典型的な転流には、有利な実施例において約50μsかかる。擬似ＤＣ信号を実現するための短い転流と長い転流との間の比は、有利には1:500〜1:1000の範囲である。
【００１４】
このような転流は、まったく異なる関連においてではあるが、上記2006年12月13日付けの本願出願人による特許明細書PCT/EP2006/069665に記載されており、その開示内容をこの参照によって本願発明の開示内容に含めるものとする。
【００１５】
有利には上記の駆動制御回路を設計して、この駆動制御回路により、上記の擬似転流が50Hz〜1kHz、有利には500Hzの周波数で行われるようにする。これにより、一方では高圧放電ランプのアノードとして作用する電極への十分なエネルギ供給を保証することができるため、放射温度を上回ったままであり、ランプのアークが消えることはない。他方では上記のランプを冷却することができ、この冷却により、高圧放電ランプのスイッチオフ過程の直後にこの高圧放電ランプを再点火することができる。最終的に上記のような擬似転流の周波数により、チャージポンプのコンデンサの十分な再充電を保証することができる。
【００１６】
さらに、有利には上記の駆動制御回路を設計して、この駆動制御回路により、前記のスイッチオフの際に最後の擬似ＤＣ動作中の極性が記憶されるようにし、さらにこの駆動制御回路を設計して、この駆動制御回路により、上記の擬似ＤＣ動作に対するつぎのスイッチオフの際に他方の極性が使用されるようにする。これによって上記のランプの２つの電極の均一な負荷を保証することができる。さらに上記の駆動制御回路には有利には時間測定装置が含まれており、この駆動制御回路をさらに設計して、あらかじめ設定可能な出力の擬似ＤＣ信号で作動されたあらかじめ設定可能な間の経過後、上記の駆動制御回路により、高圧放電ランプの動作が調整される、すなわち、これがスイッチオフされるようにする。択一的には温度測定装置を使用することも可能であり、この温度測定装置により、直ちに再点火することのできる温度に上記の高圧放電ランプが冷却されたか否かが決定される。上記の時間測定装置および／または温度測定装置により、高圧放電ランプが少ない出力で作動されるがエネルギを消費するフェーズが最小化される。
【００１７】
別の有利な実施形態は、従属請求項に記載されている。
【００１８】
本発明による回路装置に関連して述べてきた有利な実施形態およびそれらの利点は、適用可能であるかぎり、本発明による方法にも相応にあてはまる。
【図面の簡単な説明】
【００１９】
【図１】本発明による回路装置の構成を示す概略図である。
【図２】高圧放電ランプの出力供給の時間経過を示す線図である。
【図３】擬似転流のないランプ電流の時間経過を示す線図である。
【図４】擬似転流を有するランプ電流の時間経過を示す線図である。
【００２０】
さて以下では添付の図面を参照して、本発明による回路装置の実施例を詳しく説明する。
【００２１】
本発明の有利な実施形態
図１には、本発明による回路装置の実施例の略図が示されている。この回路装置には、第１入力端子Ｅ１と第２入力端子Ｅ２とが含まれており、これらの端子間に直流電圧が接続される。有利には、300〜400Vのオーダのいわゆる中間回路電圧が接続される。入力端子Ｅ１，Ｅ２間にはＤＣ低電圧給電ユニット１０が接続されており、この給電ユニットは、第１の出力側Ａ１においてマイクロコントローラ１２に５Ｖの直流電圧を供給し、また第２の出力側Ａ２においてハイサイドドライバ１４およびローサイドドライバ１６に１５Ｖの直流電圧を供給する。マイクロコントローラ１２は、ローサイドドライバ１６を直接駆動制御し、また電位分離ユニット１８を介してハイサイドドライバを駆動制御する。
【００２２】
ＤＣ低電圧給電ユニット１０の出力側Ａ２とハイサイドドライバ１４との間にはチャージポンプが接続されており、このチャージポンプにはダイオードＤ１およびコンデンサＣ１が含まれている。コンデンサＣ１は、交流電圧源に接続されており、これはここではブリッジ回路２０のブリッジ中間点ＢＭ１である。ブリッジ中間点ＢＭ１の電位は、基準電位としてハイサイドドライバ１４に供給されるのに対して、ローサイドドライバ１６は、基準電位としてアース電位を受け取る。このアース電位は、入力端子Ｅ２における電位である。
【００２３】
ブリッジ回路２０には４つの電子スイッチＳ１，Ｓ２，Ｓ３，Ｓ４が含まれており、動作時には対角線Ｓ１，Ｓ４のスイッチが公知のように同時に開かれるのに対して、別の対角線Ｓ２，Ｓ３のスイッチが閉じられる。またこの逆が行われる。高圧放電ランプＬａは、互いに接続された２つのインダクタンスＬ１，Ｌ２と、コンデンサＣ２とを含む点火回路を介して、２つのブリッジ中間点ＢＭ１，ＢＭ２間に接続されている。
【００２４】
ハイサイドドライバ１４は、スイッチＳ１，Ｓ３の駆動制御に使用されるのに対して、ローサイドドライバ１６は、スイッチＳ２，Ｓ４の駆動制御に使用される。
【００２５】
したがってブリッジ中間点ＢＭ１の電位は、スイッチＳ１，Ｓ２の位置に依存して０ＶとＵZWとに切り換わる。ハイサイドドライバ１４を給電するためのコンデンサＣ１の再充電が可能になるのは、ブリッジ中間点ＢＭ１がアース電位にある場合、すなわち、スイッチＳ２が閉じられておりかつスイッチＳ１が開いている場合である。
【００２６】
放電ランプＬａにＤＣ信号を供給するため、連続する２つずつの転流が、高速に相前後して実施される２つの転流、いわゆる擬似転流によって複数回相前後して置き換えられる。これによってランプＬａにＤＣ信号が供給され続ける。それは、点火回路の出力キャパシタンスおよび出力インダクタンスにより、ランプ電流は十分な速度でその向きを変えることができないからである。ここではランプ電流の振幅の一時的な落ち込みだけが確認される。
【００２７】
図示しない１実施形態では、擬似転流を上記のように実施する代わりに、電源部および転流器を介してランプＬａにＤＣ信号が供給される。ここでこの供給は、ランプに供給される出力が低下して、ＡＣ信号によるランプの動作時にランプのアークが消える危険性があると直ちに行われる。
【００２８】
図２には、高圧放電ランプＬａに供給される出力Ｐの時間経過が略示されている。時点t0とt1との間、ランプは通常動作において１００％の出力で作動される。オペレータは、時点t1に高圧放電ランプＬａが取り付けられているプロジェクタをオフにすることを望んでいる。マイクロコントローラ１２には、図１に示していないインタフェースを介して相応する信号が供給され、これに基づき、本発明による回路装置は、ランプＬａに供給される出力を制御して低下させ始める。時点t0とt2との間、高圧放電ランプＬａはＡＣ信号によって作動される。時点t2において、すなわち、ＡＣ信号で引き続けて作動させるとランプのアークが消えてしまう危険性がある出力閾値に達すると、ＡＣ動作から擬似ＤＣ動作に切り換えられる。このために高電圧放電ランプＬａをいわゆる擬似転流で作動させる。ここではランプに供給される出力をさらに低減して、時点t3までに、500Hzのオーダの周波数の擬似転流によってランプが作動されるいわゆるスタンバイ動作に達するようにする。これによって確実に、コンデンサＣ１が十分に再充電されて、ハイサイドドライバ１４の正常な動作が保証されるようにする。時点t3とt4との間ではランプは、その定格出力の約２０％で作動される。これによってランプは、さらに冷却されて、t1からt4までの時間幅を設定するか、またはランプ温度を測定することによって求められる時点t4には、スイッチオフ過程後に直ちに再点火に成功する温度に到達する。択一的に温度を測定する場合、あらかじめ設定した温度、例えば、350℃またはそれ以下にランプが冷却されたことによって時点t4を決定する。
【００２９】
このようにすれば、オペレータが望めば、高圧放電ランプＬａを時間窓ΔＴ1においていつでも直ちに再び１００％にパワーアップすることができる。オペレータが望めば、時点ΔT2には、ランプＬａを直ちに効果的に再点火することが可能である。したがってランプＬａを直ちに再度オンにすることのできない時点はもはや存在しないのである。
【００３０】
図３には、擬似転流が行われないランプ電流の時間経過が示されている。上記の転流には１〜１４の番号が付されている。転流の直前にランプ電流はパルス状に増大する。これは、例えば、WO95/35645に記載されたフリッカ現象、殊にフリッカおよびアークジャンプ（Bogensprichen）を低減するための手段である。この手段は、本発明の１態様による擬似転流の実施とは無関係である。上で示した電流の矩形状の経過の周波数は、ふつう200Hz〜5kHzである。
【００３１】
図４においてわかるのは、転流３，４および６，７がマイクロコントローラ１２によって極めて短時間に行われていることである。ここでは長い転流15msであり、短い転流はわずかに5μsである。後者はランプ電流ILにおいてまったく識別できない。それは、この電流は、点火回路の出力キャパシタンスおよび出力インダクタンスのために、その流れる方向を高速には逆転できないからである。すなわち、このランプにはＤＣ信号が供給されるのである。しかしながらこの短い転流は、チャージポンプのコンデンサを再充電するのには十分である。これに対して通常動作における典型的な転流には、有利な実施例において約50μsかかる。
【図１】
2011503810.tif 000003
【図２】
2011503810.tif 000004
【図３】
2011503810.tif 000005
【図４】
2011503810.tif 000006
【国際調査報告】
2011503810.tif 000007
2011503810.tif 000008
2011503810.tif 000009
2011503810.tif 000010
2011503810.tif 000011
2011503810.tif 000012